(57)【特許請求の範囲】
【請求項１】
ストッキングの１足を中台紙を用いて扁平にまとめて透明フィルムの内袋に収容したものを透明フィルムの外袋内の一番手前に入れ、その後ろ側には残るストッキングを中台紙を用いることなく小さく折り畳んでそれぞれ透明フィルムの同大の小袋に収容して上下に整列するように入れ、これら全てのストッキングは外袋内で上記内袋内のストッキングが正面から一部見えるような形状の合紙により囲まれまとめられてなることを特徴とする多足組ストッキングの包装形態。
【請求項２】
前記小袋はミシン目を介して一列に連続した連袋に構成されてなる請求項１記載の多足組ストッキングの包装形態。
【発明の詳細な説明】
【０００１】
【発明の属する技術分野】
本発明は、パンティストッキング、ロングストッキング、ショートストッキング等の極細糸で編成されたストッキング類（以下、単にストッキングという）を多足組として販売する場合の包装形態に関するものである。
【０００２】
【従来の技術】
この種のストッキングを多足組、例えば３〜５足をワンパックとして販売する場合、従来は例えば図４（５足組の場合）に示すように、１足毎に比較的堅い白色四角形の中台紙２をストッキング１の片脚だけに広げるように挿入し、他方の脚の一部を中台紙２の前面に部分的に重なり合うように巻き回して、他の部分は中台紙２の背後に折り畳むようにまとめ、この全体を中台紙２とほぼ同じ大きさの透明フィルムの内袋３中に入れて、前面から見るとそのストッキングの柄や色合いが一目で分かるようにし、この同様の方法で個包装された所定足数をサイズや商標、メーカーや絵などが印刷表示された正面から見て最前列のストッキング１ａが一部見えるような形状と大きさの合紙４にまとめ、さらにこれをマチ付きの大きな透明フィルムの外袋５内に入れて最終包装形態の製品としている（図５参照）。
【０００３】
しかしながら、この従来の多足組ストッキングの包装形態は、中台紙２をその足数分だけ使用しており、ストッキングを着用するときには、この中台紙２が不要となってゴミとなるので、多足組ストッキングを生産量を考えると、膨大な量の中台紙２が捨てられていることとなる。
【０００４】
また、従来の多足組ストッキングでは、前記のように１足毎に全て同じ包装形態をとっているので、数量不足を生じる危険があるばかりでなく、全体にかさばってしまい、しかも個包装自体が大きな扁平形状をなすので、小さなハンドバッグ等には入りきらず、携帯にも難があった。
【０００５】
【発明が解決しようとする課題】
本発明は、店頭に陳列するときに、従来の多足組ストッキングとは包装外観が何ら変らず、ゴミとなる上記中台紙の使用枚数を大幅に削減することができて資源の無駄使いを最小に抑え、多足組の足数の確認も容易で、しかも個包装されたものは形態にも便利で邪魔にならない大きさとした多足組ストッキングの新規な包装形態を提案するものである。
【０００６】
【課題を解決するための手段】
即ち、本発明はストッキングの１足を中台紙を用いて扁平にまとめて透明フィルムの内袋に収容したものを透明フィルムの外袋内の一番手前に入れ、その後ろ側には残るストッキングを中台紙を用いることなく小さく折り畳んでそれぞれ透明フィルムの同大の小袋に収容して上下に整列するように入れ、これら全てのストッキングは外袋内で上記内袋内のストッキングが正面から一部見えるような形状の合紙により囲まれまとめられてなることを特徴とする多足組ストッキングの包装形態に関するものである。
【０００７】
なお、上記の小袋はミシン目を介して一列に連続した連袋に構成することもできる。以下、本発明の実施の形態を図により説明する。
【０００８】
【発明の実施の形態】
図１は、本発明による５足組のパンティストッキング１ａ〜１ｅの包装形態の一例を包装の工程順に示す説明図で、前面に来る１足のパンティストッキング１ａだけは外部から色や柄が分るように、従来と同様の個包装、即ち中台紙２を使用して扁平にまとめ、透明フィルムの内袋３に収容する。
【０００９】
そして、残る４足１ｂ〜１ｅについては、中台紙２の横幅とほぼ同じ幅となるようにパンティストッキング１ｂ〜１ｅをまずその長さ方向と平行に折畳み、次いでこれと直角方向に数回折畳んでそれぞれ透明フィルムの同大の小袋６に収納する。この小袋６は内袋３と同横幅であるが、底部にマチがあり、折り畳んだ上記ストッキング１ａ〜１ｅがそれぞれスッポリ入る大きさであって、該小袋６と一体に連設された舌状蓋６ａを閉めて接着テープ７止めしたときの高さが、５足組のときは中台紙２の高さ（縦幅）のほぼ１／４であり、４足組のときはほぼ１／３、３足組のときはほぼ１／２となるようにする。
【００１０】
これらを５足組とする場合、中台紙２を用いた内袋３入りのストッキング１ａを手前にし、その後側に上下にそれぞれ小袋６入りの他の４足のストッキング１ｂ〜１ｅを積み重ねるようにして箱型に折曲形成した合紙４でまとめ、透明フィルムの外袋５に収納して最終包装形態とする（図２参照）。
【００１１】
なお、通常ストッキングの多足組では、色、柄、素材全てが全く同一の商品を一組とするが、前面に来るストッキング１ａ以外のものの色、柄等も消費者が確認する必要があることから、少なくとも箱型の合紙４の厚さ方向からは上下に積上げたストッキング１ｂ〜１ｅがのぞけるようにしておく。
【００１２】
図３は、本発明による包装形態の他の例を示すもので、前面に来るストッキング１ａは上記と同じく、中台紙２を用いて色、柄等をよく見せるように扁平にまとめて内袋３に収納したものを使用することは従来と同様であるが、その背後に来る４足のストッキング１ｂ〜１ｅを１足づつ入れる同大の小袋６が切り離し容易なミシン目８を介して１列に連続した連袋７に構成されている。この連袋７も透明フィルムよりなり、各小袋６毎にポケット状の挿入口９が形成され、前記と同様にしてやや扁平に折り畳んだストッキング１ｂ〜１ｅを挿入し、小袋６に一体に連設された舌状蓋６ａ内端面に塗着された接着剤１０を利用して該蓋６ａを閉じる。
【００１３】
このように４連に構成されて収納された４足のストッキング１ｂ〜１ｅは、中央のミシン目８で二つ折りにし、内袋３入りのストッキング１ａの背後に置き、あとは前記と同様に合紙４でまとめて透明な外袋５に収納して最終包装形態とするのである。
【００１４】
【発明の効果】
本発明によるパンティストッキングやロングストッキング等の多数組ストッキングの包装形態は上述のようにしてなり、透明な包装外袋内の一番手前のストッキングだけは従来と同様に中台紙を用いてストッキングの色や柄等をはっきり見せるようにし、残りのストッキングは透明な小袋に収納してその後側に整列するように入れるので、従来の多足組の包装と外観は全く変わらずに、ストッキングを使用するときにはゴミとなってしまう中台紙の使用枚数を大幅に減少させることができるのである。
【００１５】
また、本発明の多足組の包装形態によれば、包装能率も向上して、包装コストを大幅に低減でき、側方からの目視により足数を簡単に確認できるので、数量不足の発生も防止でき、さらに多足組をコンパクトに収納できるので、包装全体の厚さも従来より薄くすることができる。
【００１６】
また、後側に配置する小袋入りのストッキングは小さなハンドバック等にも簡単に入るので邪魔にならず、携帯にも便利である。
【図面の簡単な説明】
【図１】  本発明による多足組ストッキングの包装形態の一例で、５足組のパンティストッキングの包装の工程を示す説明図である。
【図２】  図１の例による最終包装形態の斜視図である。
【図３】  本発明による他の包装形態の包装の工程の途中までを示す説明図である。
【図４】  パンティストッキングの５足組を例とした従来の包装形態の包装の工程を示す説明図である。
【図５】  図４の従来例による最終包装形態の斜視図である。
【符号の説明】
１−パンティストッキング
２−中台紙
３−透明内袋
４−合紙
５−透明外袋
６−透明小袋
７−連袋
８−ミシン目
９−挿入口
１０−接着剤
【図１】
0003769698.tif 000002
【図２】
0003769698.tif 000003
【図３】
0003769698.tif 000004
【図４】
0003769698.tif 000005
【図５】
0003769698.tif 000006